(57)【要約】      （修正有）【課題】ユーザの指の疲労を和らげることができる美理容用のハサミを提供する。【解決手段】リング型把手１４１の内壁側には凸部１５１が形成されている。ハサミ１００の使用中に、凸部１５１がユーザの指に当たることにより、ユーザの指のツボが刺激され、ユーザの疲労が緩和される。本ハサミによれば、ユーザがハサミの使用中に、各凸部によって、ユーザの指のツボが刺激され、結果的に、ユーザは体調を整えることが可能である。また、ユーザは自らの指が各凸部に当たる位置や度合いを調節することができるので、ユーザの好みに応じて、指のツボを刺激することができる。【選択図】図１
0003154700.tif 000002
【実用新案登録請求の範囲】
【請求項１】
第一鋏部材と第二鋏部材とからなるハサミであって、
前記第一鋏部材及び前記第二鋏部材は各々の回動中心点において相互に回動自在に連結され、前記第一鋏部材及び前記第二鋏部材の各々には、前記回動中心点を中心として一方の側に把手部が、他方の側に切断部が形成されており、前記回動中心点を中心として前記把手部を回動させることにより前記切断部も回動させることができ、
前記第一鋏部材及び前記第二鋏部材の前記把手部の各々はユーザの指を挿入することができるリング状把手を有しており、
前記第一鋏部材及び前記第二鋏部材の前記リング状把手の何れか一方には前記回動中心点に関して前記切断部とは反対側の方向に延びる指掛け部が形成されており、
前記第一鋏部材及び前記第二鋏部材の前記リング状把手の少なくとも何れか一方の内壁上であって他方の鋏部材に対向する側の位置、前記指掛け部上であって、前記ハサミの外側を向く面上の位置、及び、前記指掛け部が形成されている前記第一鋏部材または前記第二鋏部材の前記リング型把手と前記回動中心点との間の位置であって、前記ハサミの外側を向く面上の位置の少なくとも何れか一つにおいて、ユーザの指のツボを刺激する凸部が形成されているハサミ。
【請求項２】
前記凸部は磁石または貴金属からなるものであることを特徴とする請求項１に記載のハサミ。
【請求項３】
前記凸部は着脱自在に前記ハサミに取り付けられるものであることを特徴とする請求項１または２に記載のハサミ。
【考案の詳細な説明】
【技術分野】
【０００１】
本考案はハサミ、特に、理美容用のハサミに関する。
【背景技術】
【０００２】
理容店または美容店で使われる理容または美容用のハサミとして、ユーザ（理容師または美容師）の疲労を緩和する機能を有するハサミがいくつか提案されている。
【０００３】
その一つが実用新案登録第３０７７１１７号公報に記載されている。
【０００４】
図２は同公報に記載されているハサミの平面図である。
【０００５】
図２に示すハサミ５００は第一鋏部材５１０と第二鋏部材５２０とからなり、第一鋏部材５１０及び第二鋏部材５２０は各々の回動中心点５３０において相互に回動自在に連結されている。
【０００６】
第一鋏部材５１０及び第二鋏部材５２０の各々には、回動中心点５３０を中心として一方の側に把手部５４０が、他方の側に切断部５５０が形成されており、回動中心点５３０を中心として把手部５４０を回動させることにより切断部５５０も回動させることができる。
【０００７】
第一鋏部材５１０及び第二鋏部材５２０の把手部５４０の各々はユーザの指を挿入することができるリング状把手５４１を有している。ユーザは一方の手（例えば、右手）の親指と薬指とをリング型把手５４１に差し込んだ状態でハサミ５００を使用する。
【考案の概要】
【考案が解決しようとする課題】
【０００８】
図２に示したハサミ５００においては、把手部５４０と切断部５５０の少なくとも何れか一方が多元素鉱物を含有している。
【０００９】
多元素鉱物とは、例えば、花崗岩、真珠岩、松脂岩、トルマリン（電気石）のように珪素を主成分として含む鉱物を指す。
【００１０】
この多元素鉱物はマイナスイオンを出すことが知られている。このマイナスイオンの作用により、ハサミ５００を持つ指の血行が促進され、指の疲労を和らげることが可能である、とされている。
【００１１】
多元素鉱物が放出するマイナスイオンにより指の疲労を和らげるためには、多量のマイナスイオンを放出させることが必要であり、そのためには、多量の多元素鉱物を使用することが必要となる。
【００１２】
しかしながら、ハサミ５００の把手部５４０及び切断部５５０の双方に多元素鉱物を使用したとしても、使用される多元素鉱物の量は多くはなく、ユーザの指の疲労を和らげることができる程度のマイナスイオンの放出は現実問題として到底不可能である。
【００１３】
本考案はこのような従来のハサミにおける問題点に鑑みてなされたものであり、ユーザの指の疲労を和らげる効果を確実に奏することができるハサミ、特に、美理容用のハサミを提供することを目的とする。
【課題を解決するための手段】
【００１４】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【００１５】
上記の目的を達成するため、本考案は、第一鋏部材（１１０）と第二鋏部材とからなるハサミであって、前記第一鋏部材（１１０）及び前記第二鋏部材（１２０）は各々の回動中心点（１３０）において相互に回動自在に連結され、前記第一鋏部（１１０）材及び前記第二鋏部材（１２０）の各々には、前記回動中心点（１３０）を中心として一方の側に把手部（１４０）が、他方の側に切断部（１５０）が形成されており、前記回動中心点（１３０）を中心として前記把手部（１４０）を回動させることにより前記切断部（１５０）も回動させることができ、前記第一鋏部材（１１０）及び前記第二鋏部材（１２０）の前記把手部（１４０）の各々はユーザの指を挿入することができるリング状把手（１４１、１４２）を有しており、前記第一鋏部材（１１０）及び前記第二鋏部材（１２０）の前記リング状把手（１４１、１４２）の何れか一方（１４２）には前記回動中心点（１３０）に関して前記切断部（１５０）とは反対側の方向に延びる指掛け部（１４４）が形成されており、前記第一鋏部材（１１０）及び前記第二鋏部材（１２０）の前記リング状把手（１４１、１４２）の少なくとも何れか一方の内壁上であって他方の鋏部材に対向する側の位置、前記指掛け部（１４４）上であって、前記ハサミ（１００）の外側を向く面上の位置、及び、前記指掛け部（１４４）が形成されている前記第一鋏部材（１１０）または前記第二鋏部材（１２０）の前記リング型把手（１４２）と前記回動中心点（１３０）との間の位置であって、前記ハサミ（１００）の外側を向く面上の位置の少なくとも何れか一つにおいて、ユーザの指のツボを刺激する凸部（１５１、１５２、１５３、１５４）が形成されているハサミ（１００）を提供する。
【００１６】
前記凸部（１５１、１５２、１５３、１５４）は、例えば、磁石または貴金属からなるものであることが好ましい。
【００１７】
前記凸部（１５１、１５２、１５３、１５４）は着脱自在に前記ハサミ（１００）に取り付けられるものであることが好ましい。
【考案の効果】
【００１８】
本考案に係るハサミによれば、ユーザがハサミの使用中に、各凸部によって、ユーザの指のツボが刺激され、疲労が緩和され、結果的に、ユーザは体調を整えることが可能である。また、ユーザは自らの指が各凸部に当たる位置や度合いを調節することができるので、ユーザの好みに応じて、指のツボを刺激することができる。
【図面の簡単な説明】
【００１９】
【図１】図１は本考案の一実施形態に係るハサミの平面図である。
【図２】図２は従来のハサミの平面図である。
【符号の説明】
【００２０】
１００  本考案の一実施形態に係るハサミ
１１０  第一鋏部材
１２０  第二鋏部材
１３０  回動中心点
１４０  把手部
１４１、１４２  リング状把手
１４３  突出部
１４４  指掛け部
１５０  切断部
１５１  第一凸部
１５２  第二凸部
１５３  第三凸部
１５４  第四凸部
【考案を実施するための形態】
【００２１】
図１は本考案の一実施形態に係るハサミ１００の平面図である。
【００２２】
本実施形態に係るハサミ１００は第一鋏部材１１０と第二鋏部材１２０とからなり、第一鋏部材１１０及び第二鋏部材１２０は各々の回動中心点１３０において相互に回動自在に連結されている。
【００２３】
第一鋏部材１１０及び第二鋏部材１２０の各々には、回動中心点１３０を中心として一方の側に把手部１４０が、他方の側に切断部１５０が形成されており、回動中心点１３０を中心として把手部１４０を回動させることにより切断部１５０も回動させることができる。
【００２４】
第一鋏部材１１０及び第二鋏部材１２０の把手部１４０の各々はユーザの指を挿入することができるリング状把手１４１、１４２を有している。ユーザは一方の手（例えば、右手）の親指と薬指とをリング型把手１４１、１４２に差し込んだ状態でハサミ１００を使用する。
【００２５】
また、第一鋏部材１１０のリング状把手１４１には第二鋏部材１２０のリング状把手１４２に向かって突出する突出部１４３が形成されている。この突出部１４３の長さ（突出の程度）は、ハサミ１００を閉じたときに、突出部１４３が第二鋏部材１２０のリング状把手１４２に接触するように、設定されている。
【００２６】
第二鋏部材１２０のリング状把手１４２には、回動中心点１３０に関して第二鋏部材１２０の切断部１５０とは反対側に延びる指掛け部１４４が形成されている。指掛け部１４４は円弧状をなしており、ハサミ１００の外側に向かって、曲線をなしている。使用時には、ハサミ１００のユーザは小指を指掛け部１４４に掛けた状態でハサミ１００を使用する。
【００２７】
第一鋏部材１１０のリング状把手１４１の内壁には第一凸部１５１が形成されている。第一凸部１５１は、リング状把手１４１の内壁上であって、第二鋏部材１２０に対向する側の位置に形成されている。
【００２８】
第一凸部１５１は第一鋏部材１１０のリング状把手１４１の内壁に溶接されることにより、リング状把手１４１に固定されている。
【００２９】
同様に、第二鋏部材１２０のリング状把手１４２の内壁には第二凸部１５２が形成されている。第二凸部１５２は、リング状把手１４２の内壁上であって、第一鋏部材１１０に対向する側の位置に形成されている。
【００３０】
第二凸部１５２は第二鋏部材１２０のリング状把手１４２の内壁に溶接されることにより、リング状把手１４２に固定されている。
【００３１】
さらに、第二鋏部材１２０の指掛け部１４４の外側を向く面上には第三凸部１５３が溶接により固定されている。
【００３２】
また、第二鋏部材１２０のリング状把手１４２と回動中心点１３０との間の位置において、第二鋏部材１２０の外側を向く面上には、第四凸部１５４が溶接により固定されている。
【００３３】
第一凸部１５１、第二凸部１５２、第三凸部１５３及び第四凸部１５４は同一形状をなしており、何れも鋼鉄製の小球状である。
【００３４】
これらの第一凸部１５１、第二凸部１５２、第三凸部１５３及び第四凸部１５４はハサミ１００の使用中にユーザの指のツボを刺激する機能を有している。
【００３５】
第一凸部１５１が形成されている第一鋏部材１１０のリング型把手１４１にはユーザの親指が入れられる。ハサミ１００の使用中において、第一凸部１５１がユーザの親指に当たり、親指のツボを刺激する。この場合、ユーザが自ら親指のツボを第一凸部１５１に当てるようにすることができる。
【００３６】
親指のツボは肺に対応していると言われている。親指のツボを刺激することにより、呼吸器や心臓の調子を整えることができ、さらに、それにより、体の免疫力が強化されるため、風邪に対する予防効果を高めることができる。
【００３７】
第二凸部１５２が形成されている第二鋏部材１２０のリング型把手１４２にはユーザの薬指が入れられる。ハサミ１００の使用中において、第二凸部１５２がユーザの薬指に当たり、薬指のツボを刺激する。この場合、ユーザが自ら薬指のツボを第二凸部１５２に当てるようにすることができる。
【００３８】
薬指には、内分泌ホルモンのバランスをコントロールする三焦径が通っている。薬指のツボを刺激することにより、この三焦径が刺激され、生理不順や美容に効果があると言われている。
【００３９】
第三凸部１５３が形成されている指掛け部１４４にはユーザの小指が添えられる。ハサミ１００の使用中において、第三凸部１５３がユーザの小指に当たり、小指のツボを刺激する。この場合、ユーザが自ら小指のツボを第三凸部１５３に当てるようにすることができる。
【００４０】
小指の外側が小腸に対応していると言われている。小指のツボを刺激することにより、便秘、頭痛、顔の火照り、喉の腫れなどに対して効果がある。
【００４１】
第四凸部１５４が形成されている第二鋏部材１２０にはユーザの中指が添えられる。ハサミ１００の使用中において、第四凸部１５４がユーザの中指に当たり、中指のツボを刺激する。この場合、ユーザが自ら中指のツボを第四凸部１５４に当てるようにすることができる。
【００４２】
中指には心臓を守る心包径が通っており、中指のツボを刺激することにより、動悸や息切れなどの心臓系の体調不良に対して効果がある。
【００４３】
以上のように、本実施形態に係るハサミ１００によれば、ユーザがハサミ１００の使用中に、第一凸部１５１、第二凸部１５２、第三凸部１５３及び第四凸部１５４によって、ユーザの指のツボが刺激され、疲労が緩和され、その結果として、ユーザは体調を整えることが可能である。
【００４４】
ユーザは自らの指が各凸部に当たる位置や度合いを調節することができるので、ユーザの好みに応じて、指のツボを刺激することができる。
【００４５】
上記のような構造を有する本実施形態に係るハサミ１００は上記の構造に限定されるものではなく、種々の改変が可能である。
【００４６】
本実施形態に係るハサミ１００は４個の凸部、すなわち、第一凸部１５１、第二凸部１５２、第三凸部１５３及び第四凸部１５４を備えるものとして構成されているが、４個全ての凸部を備えていることは必ずしも必要ではない。本実施形態に係るハサミ１００は、４個の凸部のうち、いずれか１個、いずれか２個またはいずれか３個を備えるものとして構成することも可能である。
【００４７】
また、本実施形態に係るハサミ１００においては、第一凸部１５１、第二凸部１５２、第三凸部１５３及び第四凸部１５４は何れも鋼鉄製であるが、例えば、磁石でつくることも可能である。４個の凸部を磁石でつくることにより、各凸部から放射された磁力線がユーザの指に浸透し、指の血行を良くするなどの効果を期待することができる。
【００４８】
あるいは、磁石の代わりに、チタニウムその他の貴金属で４個の凸部をつくることも可能である。
【００４９】
本実施形態に係るハサミ１００においては、第一凸部１５１、第二凸部１５２、第三凸部１５３及び第四凸部１５４は何れも、例えば、溶接により、第一鋏部材１１０または第二鋏部材１２０に対して固定されているが、各凸部を第一鋏部材１１０または第二鋏部材１２０に対して着脱自在に取り付けることも可能である。
【００５０】
例えば、各凸部に外面が雄ネジをなしている延長体を形成し、第一鋏部材１１０または第二鋏部材１２０に、その延長体がネジ止め可能な雌ネジが形成されている凹部を形成しておくことにより、各凸部を第一鋏部材１１０または第二鋏部材１２０に対して着脱自在に取り付けることができる。
【図１】
0003154700.tif 000003
【図２】
0003154700.tif 000004